【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
第１ジョブ処理デバイスによる第１処理がなされた後に第２ジョブ処理デバイスによる第２処理を要するジョブの情報を表示可能にしたジョブ処理システムであって、
前記第１ジョブ処理デバイスにて前記第２処理に係る情報よりも前記第１処理に係る情報が優先的に表示される前記第２処理に係る情報を、前記第２ジョブ処理デバイスでは前記第１処理に係る情報よりも優先的に表示させる制御手段を有することを特徴とするジョブ処理システム。
【請求項２】
請求項１記載のジョブ処理システムであって、
前記制御手段は、
前記第1ジョブ処理デバイスにおける前記第1処理の処理状況と前記第２ジョブ処理デバイスにおける前記第２処理の処理状況とに基づいて生成される前記ジョブの前記第１処理の処理状況に係る情報と前記第２処理の処理状況に係る情報とが選択的に表示可能に構成された表示画面を、前記第２処理デバイスの表示手段により表示可能にし、
且つ、前記制御手段は、
前記第１ジョブ処理デバイスの表示手段では前記第２処理の処理状況に係る情報よりも前記第１処理の処理状況に係る情報が優先的に表示される前記表示画面の前記第２処理の処理状況に係る情報を、前記第２ジョブ処理デバイスの表示手段では前記第１処理の処理状況に係る情報よりも優先的に表示させる、ことを特徴とするジョブ処理システム。
【請求項３】
請求項１又は２記載のジョブ処理システムであって、
前記制御手段は、
前記第1ジョブ処理デバイスにおける前記第1処理の進捗状況と前記第２ジョブ処理デバイスにおける前記第２処理の進捗状況とに基づいて生成される前記ジョブの前記第１処理の進捗状況に係る情報と前記第２処理の進捗状況に係る情報とが選択的に表示可能に構成された表示画面を、前記第２処理デバイスの表示手段により表示可能にし、
且つ、前記制御手段は、
前記第１ジョブ処理デバイスの表示手段では前記第２処理の進捗状況に係る情報よりも前記第１処理の進捗状況に係る情報が優先的に表示される前記表示画面の前記第２処理の進捗状況に係る情報を、前記第２ジョブ処理デバイスの表示手段では前記第１処理の進捗状況に係る情報よりも優先的に表示させることを特徴とするジョブ処理システム。
【請求項４】
請求項１乃至３の何れかに記載のジョブ処理システムであって、
前記制御手段は、
前記第１ジョブ処理デバイスから取得した情報と前記第２ジョブ処理デバイスから取得した情報に基づいて前記表示画面に必要な表示用データを生成する管理サーバから前記第1ジョブ処理デバイスに対して配信される前記表示データを前記第２ジョブ処理デバイスにより獲得させることを特徴とするジョブ処理システム。
【請求項５】
請求項１乃至４の何れかに記載のジョブ処理システムであって、
前記第１ジョブ処理デバイスによる第１処理は前記ジョブにて要する印刷処理であり、
前記第２ジョブ処理デバイスによる第２処理は前記ジョブにて要する印刷処理の後に実行すべき印刷後処理であり、
前記制御手段は、
前記第１ジョブ処理デバイスにて前記印刷後処理に係る情報よりも前記印刷処理に係る情報が優先的に表示される前記印刷後処理に係る情報を、前記第２ジョブ処理デバイスでは前記印刷処理に係る情報よりも優先的に表示させることを特徴とするジョブ処理システム。
【請求項６】
請求項１乃至４の何れかに記載のジョブ処理システムであって、
前記第２ジョブ処理デバイスによる第２処理は前記ジョブにて要する印刷処理であり、
前記第１ジョブ処理デバイスによる第１処理は前記ジョブにて要する印刷処理の前に実行すべき印刷前処理であり、
前記制御手段は、
前記第１ジョブ処理デバイスにて前記印刷処理に係る情報よりも前記印刷前処理に係る情報が優先的に表示される前記印刷処理に係る情報を、前記第２ジョブ処理デバイスでは前記印刷前処理に係る情報よりも優先的に表示させることを特徴とするジョブ処理システム。
【請求項７】
請求項１乃至６の何れかに記載のジョブ処理システムであって、
前記制御手段は、
前記第２ジョブ処理デバイスにて前記第２処理に係る情報を表示させる場合でも前記第１処理に係る情報を表示させる場合でも前記ジョブのジョブＩＤを前記第２ジョブ処理デバイスにて表示させることを特徴とするジョブ処理システム。
【請求項８】
第１ジョブ処理デバイスによる第１処理がなされた後に第２ジョブ処理デバイスによる第２処理を要するジョブの情報を表示可能にしたジョブ処理システムのジョブ処理方法であって、
前記ジョブ処理方法は、
前記第１ジョブ処理デバイスにて前記第２処理に係る情報よりも前記第１処理に係る情報が優先的に表示される前記第２処理に係る情報を、前記第２ジョブ処理デバイスでは前記第１処理に係る情報よりも優先的に表示させることを特徴とするジョブ処理方法。
【請求項９】
請求項８記載の前記ジョブ処理方法であって、
前記ジョブ処理方法は、
前記第1ジョブ処理デバイスにおける前記第1処理の処理状況と前記第２ジョブ処理デバイスにおける前記第２処理の処理状況とに基づいて生成される前記ジョブの前記第１処理の処理状況に係る情報と前記第２処理の処理状況に係る情報とが選択的に表示可能に構成された表示画面を、前記第２処理デバイスの表示手段により表示可能にし、
且つ、前記ジョブ処理方法は、
前記第１ジョブ処理デバイスの表示手段では前記第２処理の処理状況に係る情報よりも前記第１処理の処理状況に係る情報が優先的に表示される前記表示画面の前記第２処理の処理状況に係る情報を、前記第２ジョブ処理デバイスの表示手段では前記第１処理の処理状況に係る情報よりも優先的に表示させる、ことを特徴とするジョブ処理方法。
【請求項１０】
請求項８又は９記載の前記ジョブ処理方法であって、
前記ジョブ処理方法は、
前記第1ジョブ処理デバイスにおける前記第1処理の進捗状況と前記第２ジョブ処理デバイスにおける前記第２処理の進捗状況とに基づいて生成される前記ジョブの前記第１処理の進捗状況に係る情報と前記第２処理の進捗状況に係る情報とが選択的に表示可能に構成された表示画面を、前記第２処理デバイスの表示手段により表示可能にし、
且つ、前記ジョブ処理方法は、
前記第１ジョブ処理デバイスの表示手段では前記第２処理の進捗状況に係る情報よりも前記第１処理の進捗状況に係る情報が優先的に表示される前記表示画面の前記第２処理の進捗状況に係る情報を、前記第２ジョブ処理デバイスの表示手段では前記第１処理の進捗状況に係る情報よりも優先的に表示させることを特徴とするジョブ処理方法。
【請求項１１】
請求項８乃至１０の何れかに記載の前記ジョブ処理方法であって、
前記ジョブ処理方法は、
前記第１ジョブ処理デバイスから取得した情報と前記第２ジョブ処理デバイスから取得した情報に基づいて前記表示画面に必要な表示用データを生成する管理サーバから前記第1ジョブ処理デバイスに対して配信される前記表示データを前記第２ジョブ処理デバイスにより獲得させることを特徴とするジョブ処理方法。
【請求項１２】
請求項８乃至１１の何れかに記載の前記ジョブ処理方法であって、
前記第１ジョブ処理デバイスによる第１処理は前記ジョブにて要する印刷処理であり、
前記第２ジョブ処理デバイスによる第２処理は前記ジョブにて要する印刷処理の後に実行すべき印刷後処理であり、
前記ジョブ処理方法は、
前記第１ジョブ処理デバイスにて前記印刷後処理に係る情報よりも前記印刷処理に係る情報が優先的に表示される前記印刷後処理に係る情報を、前記第２ジョブ処理デバイスでは前記印刷処理に係る情報よりも優先的に表示させることを特徴とするジョブ処理方法。
【請求項１３】
請求項８乃至１１の何れかに記載の前記ジョブ処理方法であって、
前記第２ジョブ処理デバイスによる第２処理は前記ジョブにて要する印刷処理であり、
前記第１ジョブ処理デバイスによる第１処理は前記ジョブにて要する印刷処理の前に実行すべき印刷前処理であり、
前記ジョブ処理方法は、
前記第１ジョブ処理デバイスにて前記印刷処理に係る情報よりも前記印刷前処理に係る情報が優先的に表示される前記印刷処理に係る情報を、前記第２ジョブ処理デバイスでは前記印刷前処理に係る情報よりも優先的に表示させることを特徴とするジョブ処理方法。
【請求項１４】
請求項８乃至１３の何れかに記載の前記ジョブ処理方法であって、
前記ジョブ処理方法は、
前記第２ジョブ処理デバイスにて前記第２処理に係る情報を表示させる場合でも前記第１処理に係る情報を表示させる場合でも前記ジョブのジョブＩＤを前記第２ジョブ処理デバイスにて表示させることを特徴とするジョブ処理方法。
【請求項１５】
請求項８乃至１４の何れかに記載のジョブ処理方法を実行するためのコンピュータ読取可能な記憶媒体。
【請求項１６】
請求項８乃至１４記載の何れかに記載のジョブ処理方法を実行するためのプログラム。
【請求項１７】
請求項８乃至１４記載の何れかに記載のジョブ処理方法を実行するためのジョブ処理デバイス。
【手続補正２】
【補正対象書類名】明細書
【補正対象項目名】発明の名称
【補正方法】変更
【補正の内容】
【発明の名称】ジョブ処理システム、ジョブ処理方法、記憶媒体、プログラム、ジョブ処理デバイス
【手続補正３】
【補正対象書類名】明細書
【補正対象項目名】０００１
【補正方法】変更
【補正の内容】
【０００１】
本発明は、複数のジョブ処理デバイスを備えるジョブ処理システムによるジョブ処理に関するものである。
【手続補正４】
【補正対象書類名】明細書
【補正対象項目名】００１７
【補正方法】変更
【補正の内容】
【００１７】
本発明は、上記の課題を解決するためになされたもので、本発明の目的は、第１ジョブ処理デバイスによる第１処理がなされた後に第２ジョブ処理デバイスによる第２処理を要するジョブの前記第1処理に係る情報と前記第２処理に係る情報を前記第1ジョブ処理デバイスにおいても前記第２処理デバイスにおいても確認できるのみならず、前記第１ジョブ処理デバイスでは前記第２処理に係る情報よりも当該第１ジョブ処理デバイス自身が行うべき前記第１処理に係る情報が優先的に表示される前記第２処理に係る情報を、前記第２ジョブ処理デバイスでは、当該第２ジョブ処理デバイス自身が行うべき処理に係る情報として前記第１処理に係る情報よりも優先的に表示でき、システム全体としての前記ジョブの進捗を担当者が視覚的に、各ジョブ処理デバイス自身の進行状況を確認しながら、分業している前記第１処理と第２処理の状況を自在に管理してシステムの処理効率を格段に向上させることができる仕組みを提供することである。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】変更
【補正の内容】
【００２０】
本発明に係るジョブ処理システムは、以下の特徴的構成を備える。
第１ジョブ処理デバイスによる第１処理がなされた後に第２ジョブ処理デバイスによる第２処理を要するジョブの情報を表示可能にしたジョブ処理システムであって、前記第１ジョブ処理デバイスにて前記第２処理に係る情報よりも前記第１処理に係る情報が優先的に表示される前記第２処理に係る情報を、前記第２ジョブ処理デバイスでは前記第１処理に係る情報よりも優先的に表示させる制御手段を有することを特徴とする。
【手続補正８】
【補正対象書類名】明細書
【補正対象項目名】００２１
【補正方法】変更
【補正の内容】
【００２１】
本発明に係るジョブ処理方法は、以下の特徴的構成を備える。
第１ジョブ処理デバイスによる第１処理がなされた後に第２ジョブ処理デバイスによる第２処理を要するジョブの情報を表示可能にしたジョブ処理システムのジョブ処理方法であって、前記ジョブ処理方法は、前記第１ジョブ処理デバイスにて前記第２処理に係る情報よりも前記第１処理に係る情報が優先的に表示される前記第２処理に係る情報を、前記第２ジョブ処理デバイスでは前記第１処理に係る情報よりも優先的に表示させることを特徴とする。
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】変更
【補正の内容】
【００３４】
以上説明したように、本発明によれば、第１ジョブ処理デバイスによる第１処理がなされた後に第２ジョブ処理デバイスによる第２処理を要するジョブの前記第1処理に係る情報と前記第２処理に係る情報を前記第1ジョブ処理デバイスにおいても前記第２処理デバイスにおいても確認できるのみならず、前記第１ジョブ処理デバイスでは前記第２処理に係る情報よりも当該第１ジョブ処理デバイス自身が行うべき前記第１処理に係る情報が優先的に表示される前記第２処理に係る情報を、前記第２ジョブ処理デバイスでは、当該第２ジョブ処理デバイス自身が行うべき処理に係る情報として前記第１処理に係る情報よりも優先的に表示でき、システム全体としての前記ジョブの進捗を担当者が視覚的に、各ジョブ処理デバイス自身の進行状況を確認しながら、分業している前記第１処理と第２処理の状況を自在に管理してシステムの処理効率を格段に向上させることができるという効果を奏する。